(57)【特許請求の範囲】
【請求項１】
カメラボディに装着可能な交換レンズであって、
被写体像の画角を調整可能なズームレンズと、
前記ズームレンズを光軸方向に移動可能な駆動部と、
使用者の操作に応じて、前記駆動部を駆動するための操作信号を発生する、複数の操作部材と、
前記カメラボディから、前記複数の操作部材のうちの少なくとも１つの操作部材の有効／無効を設定するための設定情報を受信する通信部と、
前記駆動部を制御する制御部と、を備え、
前記設定情報は前記交換レンズが前記カメラボディに装着された状態で使用者の操作に応じて設定され、
前記制御部は、
前記通信部を介して受信した前記設定情報に基づいて前記複数の操作部材のうちの少なくとも１つを無効または有効に設定し、
前記有効に設定された操作部材からの操作信号に基づき前記駆動部を駆動し、
前記無効に設定された操作部材からの操作信号に基づいては前記駆動部を駆動しない、
交換レンズ。
【請求項２】
前記設定情報により無効に設定された操作部材において使用者の操作を受け付けた場合であっても、使用者による操作時間又は操作量が所定値を超えたときは、前記制御部は、前記無効に設定された操作部材からの操作信号に基づいて前記駆動部を駆動する、請求項１記載の交換レンズ。
【請求項３】
前記通信部が前記カメラボディから前記駆動部を駆動するための操作信号を受信したとき、前記制御部は前記カメラボディから受信した操作信号に基づいて前記駆動部を制御する、請求項１記載の交換レンズ。
【請求項４】
ズームレンズを駆動するための複数の操作部材を備えた交換レンズを装着可能なカメラボディであって、
前記交換レンズを介して入力した被写体像を撮像し画像データを生成する撮像部と、
前記交換レンズにおける前記複数の操作部材のうちの少なくとも１つの操作部材の有効／無効を設定するための設定情報を前記交換レンズが前記カメラボディに装着された状態で使用者の操作に応じて設定する設定部と、
前記設定情報を前記交換レンズに送信する通信部と、を備えた
カメラボディ。
【請求項５】
使用者からの操作を受け付ける操作部材をさらに備え、
前記設定部は、前記カメラボディの前記操作部材で受け付けた使用者の操作に基づいて前記設定情報を設定する、請求項４記載のカメラボディ。
【請求項６】
前記設定部は、前記カメラボディの動作状態に応じて前記設定情報を設定する、請求項４記載のカメラボディ。
【請求項７】
前記交換レンズの前記複数の操作部材は、回転操作に応じて前記ズームレンズを駆動するための操作信号を発生させるズームリングを含み、
前記設定部は、動画撮影時において前記ズームリングを無効に設定する、請求項６記載のカメラボディ。
【請求項８】
前記カメラボディの向きを検知する検知部をさらに備え、
前記設定部は、検知されたカメラボディの向きに応じて前記設定情報を設定する、請求項４記載のカメラボディ。
【請求項９】
前記カメラボディは、使用者の操作により、前記ズームレンズを駆動するための操作信号を生成する操作部材をさらに備え、
前記通信部は、前記カメラボディの前記操作部材により生成された前記操作信号を前記交換レンズに送信する、請求項４記載のカメラボディ。
【請求項１０】
所定の情報を表示する表示部と、
前記表示部を制御する制御部と、をさらに備え、
前記通信部が、前記交換レンズから、前記設定情報により無効に設定された操作部材に対する使用者の操作に関する情報を受けた場合、前記制御部は、使用者により操作された操作部材が無効に設定されている旨を示す情報を前記表示部に表示させる、
請求項４記載のカメラボディ。
【請求項１１】
前記交換レンズから、前記設定情報により無効に設定された操作部材に対する使用者の操作に関する情報を受けた場合、使用者による操作時間又は操作量が所定値を超えるときのみ、使用者により操作された操作部材が無効に設定されている旨を示す情報を前記表示部に表示させる、請求項１０記載のカメラボディ。
【発明の詳細な説明】
【技術分野】
【０００１】
本発明は、光学部材を操作するための操作手段を複数備えた交換レンズ、及びその交換レンズを装着可能なカメラボディに関する。
【背景技術】
【０００２】
従来の交換レンズユニットは、フォーカスレンズやズームレンズ等の光学系を機械的に駆動する機構を採用している。これに対して、近年、光学系をモータなどの電動アクチュエータにより駆動するデジタルカメラが提案されている（例えば、特許文献１参照）。この従来の交換レンズユニットはズーム倍率を調整可能である。
【０００３】
元々、静止画（写真）撮影が主な用途であった交換レンズを装着可能なデジタルカメラにおいては、ズーム倍率の調整のために、交換レンズの鏡筒の周囲にリング状の回転操作部材（いわゆる、ズームリング）が設けられている。使用者がズームリングを回転させると、ズームリングの回転量に応じてズーム倍率が変化するため、使用者は直感的に所望のズーム倍率を得ることができる。
【０００４】
一方、元々、動画撮影が主な用途であったビデオカメラにおいては、ズーム倍率の調整のためにレバーやボタンなどのスイッチ式の操作部材（いわゆる、ズームレバー）が設けられている。このようなビデオカメラにおいては、操作部材のオン／オフ操作に応じてアクチュエータがズームレンズを駆動する電動ズームにより、ズーム倍率が一定速度で変化する。したがって、使用者は、ズーム倍率を一定速度で継続的に変化させることができる。
【先行技術文献】
【特許文献】
【０００５】
【特許文献１】国際公開第２００９／０４１０６３号パンフレット
【発明の概要】
【発明が解決しようとする課題】
【０００６】
近年、交換レンズを装着可能なデジタルカメラにおいて、動画と静止画の両方を撮影可能なものが普及している。そのような交換レンズにおいては、ズーム倍率の調整のための操作部材として、ズームリングとズームレバーの両方を備えることが考えられる。しかしながら、ズームリングとズームレバーの両方を備えた交換レンズを装着したデジタルカメラを使用すると、誤操作が発生する可能性が生じる。例えば、一方の操作部材（例えば、ズームレバー）を操作中に、意図しないタイミングで、他方の操作部材（例えば、ズームリング）に触れてしまうと、ズームリングによりズーム倍率が変わってしまうため、使用者は思うようにズーム倍率を調整できなくなる。よって、複数の操作部材がデジタルカメラに備えられていると、カメラの使用者にとってズーム倍率の設定の使い勝手が良くない場合があった。
【０００７】
本発明は、上記課題を鑑みてなされたものであり、操作手段を複数備えた交換レンズのズーム操作に関してカメラの使用者にとって使い勝手の良いカメラシステムを実現する交換レンズ及びカメラボディを提供することを目的とする。
【課題を解決するための手段】
【０００８】
上記課題を解決するために本発明の交換レンズは、カメラボディに装着可能な交換レンズであって、被写体像の画角を調整可能なズームレンズと、ズームレンズを光軸方向に移動可能な駆動部と、使用者の操作に応じて、駆動部を駆動するための操作信号を発生する複数の操作部材と、カメラボディから、複数の操作部材のうちの少なくとも１つの操作部材の有効／無効を設定するための設定情報を受信する通信部と、駆動部を制御する制御部と、を備える。設定情報は、交換レンズがカメラボディに装着された状態で使用者の操作に応じて設定される。制御部は、通信部を介して受信した設定情報に基づいて複数の操作部材のうちの少なくとも１つを無効または有効に設定し、有効に設定された操作部材からの操作信号に基づき駆動部を駆動し、無効に設定された操作部材からの操作信号に基づいては駆動部を駆動しない。
【０００９】
上記課題を解決するために本発明のカメラボディは、ズームレンズを駆動するための複数の操作部材を備えた交換レンズを装着可能なカメラボディであって、交換レンズを介して入力した被写体像を撮像し画像データを生成する撮像部と、交換レンズにおける複数の操作部材のうちの少なくとも１つの操作部材の有効／無効を設定するための設定情報を交換レンズがカメラボディに装着された状態で使用者の操作に応じて設定する設定部と、設定情報を交換レンズに送信する通信部と、を備える。
【発明の効果】
【００１０】
本発明によれば、カメラボディが複数の操作部材（例えば、ズームリングとズームレバー）のうち少なくとも１つの操作部材（例えば、ズームリング）の有効／無効の設定情報を使用者の操作に基づいて設定し、交換レンズはその設定情報に基づいてズームレンズの駆動部を制御する。これにより、例えば、使用者はズームレバーを操作してズーム倍率を調整したいときに、ズームリングを無効に設定することにより、ズームリングに誤って触れてしまうことによりズーム倍率が意図せず変更してしまうことを防ぐことができる。よって、本発明によれば、使用者にとって使い勝手の良いズーム倍率設定が可能な交換レンズ及びその交換レンズを装着可能なカメラボディを実現することができる。
【図面の簡単な説明】
【００１１】
【図１】本発明の実施の形態１のデジタルカメラの外観図
【図２】本発明の実施の形態１のデジタルカメラの背面図
【図３】本発明の実施の形態１のデジタルカメラの電気的構成図
【図４】本発明の実施の形態１におけるカメラボディの液晶モニタの画面表示の一例を示す図であって、（ａ）は撮影モード時の表示例、（ｂ）はメニュー設定の画面の表示例、（ｃ）は電動ズームの詳細設定の画面の表示例、（ｄ）はズーム動作モード時の表示例を示す図
【図５】本発明の実施の形態１のデジタルカメラの初期動作の流れを示すフローチャート
【図６】本発明の実施の形態１において、ズームリングの操作が有効に設定されているときのズーム操作時の動作の流れを示すフローチャート
【図７】本発明の実施の形態１において、ズームリングの操作が無効に設定されているときのズーム操作時の動作の流れを示すフローチャート
【発明を実施するための形態】
【００１２】
＜実施の形態１＞
本発明の実施の形態１のデジタルカメラにおいて、交換レンズはズームレンズを駆動するための複数の操作部材（具体的には、ズームリングとズームレバー）を備える。カメラボディは、交換レンズの複数の操作部材のうち少なくとも１つの操作部材（本実施の形態においては、ズームリング）の有効／無効の設定情報を使用者の操作に基づいて設定し、交換レンズはその設定情報に基づいてズームレンズの駆動部を制御する。これにより、ズームリングを無効に設定することができ、例えば、使用者はズームレバーを操作してズーム倍率を調整したいときに、ズームリングに誤って触れることによりズーム倍率が意図せず変更してしまうことを防ぐことができる。よって、本実施の形態によれば、ズーム倍率設定に関する使用者の使い勝手を向上した交換レンズ及びその交換レンズを装着可能なカメラボディを実現することができる。
【００１３】
１．構成
１−１．構成概要
実施の形態１のデジタルカメラの構成の概要について説明する。
【００１４】
図１に、実施の形態１のデジタルカメラ１００の外観図を示す。図１に示すように、デジタルカメラ１００は、電動交換レンズ１０１と、電動交換レンズ１０１を装着可能なカメラボディ１０２とからなる。電動交換レンズ１０１は、使用者による操作に応じてズームレンズ駆動部（例えば、アクチュエータ）を制御することにより、ズーム倍率を変更可能な交換レンズである。電動交換レンズ１０１は、ズームレンズ駆動部を制御するための操作部材としてズームリング１１５とズームレバー１１８の両方を備えている。電動交換レンズ１０１は、ズームリング１１５が使用者によって操作されると、ズームリング１１５の操作に応じてズームレンズ駆動部を駆動し、ズームレンズの制御を行う。また、電動交換レンズ１０１は、ズームレバー１１８が使用者によって操作されると、ズームレバー１１８の操作に応じてズームレンズ駆動部を駆動し、ズームレンズの制御を行う。
【００１５】
カメラボディ１０２は、レリーズ釦１６０を備えている。カメラボディ１０２は、使用者によるレリーズ釦１６０の操作を受け付けると、オートフォーカス動作をするように制御信号を、電動交換レンズ１０１に通知したり、電動交換レンズ１０１を介して形成される被写体像の撮影動作を実行したりすることができる。
【００１６】
図２に、デジタルカメラ１００（カメラボディ１０２）の背面図を示す。カメラボディ１０２は、背面部に、液晶モニタ１６３、タッチパネル１６２、及びカメラ側操作部１７０（中央釦２０４および十字釦２０５を含む。）等を備えている。カメラボディ１０２は、使用者によるタッチパネル１６２やカメラ側操作部１７０の操作を受け付けて、操作内容に従った各種制御を行う。
【００１７】
図３に、デジタルカメラ１００（電動交換レンズ１０１およびカメラボディ１０２）の電気的構成を示す。電動交換レンズ１０１は、レンズコントローラ１２０、レンズマウント１３０、フォーカスレンズ１１０およびズームレンズ１１２を含む光学系、フォーカスレンズ駆動部１１１、ズームレンズ駆動部１１３、絞り１１６、絞り駆動部１１７、ズームリング１１５、ズームレバー１１８、ＤＲＡＭ１２１、及びフラッシュメモリ１２２等を備えている。カメラボディ１０２は、カメラコントローラ１５３、ボディマウント１４０、ＣＭＯＳイメージセンサ１５０、タイミングジェネレータ（ＴＧ）１５１、アナログフロントエンド（ＡＦＥ）１５２、液晶モニタ１６３、タッチパネル１６２、レリーズ釦１６０、カメラ側操作部１７０、電源１５４、ＤＲＡＭ１５５、フラッシュメモリ１５６、カードスロット１６５、メモリカード１６４、及び縦横検知部１６６を備えている。
【００１８】
１−２．電動交換レンズの各部の構成
電動交換レンズ１０１の各部の構成について説明する。
【００１９】
レンズコントローラ１２０は、電動交換レンズ１０１全体を制御する。レンズコントローラ１２０は、使用者によるズームリング１１５の操作を受け付けると、ズームレンズ駆動部１１３を制御して、ズームレンズ１１２を駆動する。また、レンズコントローラ１２０は、使用者によるズームレバー１１８の操作を受け付けると、ズームレンズ駆動部１１３を制御して、ズームレンズ１１２を駆動する。レンズコントローラ１２０は、ＤＲＡＭ１２１及びフラッシュメモリ１２２に接続されており、必要に応じて、情報を書き込んだり、読み出したりすることができる。また、レンズコントローラ１２０は、レンズマウント１３０を介して、カメラコントローラ１５３と通信することができる。尚、レンズコントローラ１２０は、ハードワイヤードな電子回路で構成してもよいし、プログラムを用いたマイクロコンピュータなどで構成してもよい。
【００２０】
レンズマウント１３０は、カメラボディ１０２が備えるボディマウント１４０と相俟って、電動交換レンズ１０１とカメラボディ１０２とを機械的および電気的に接続するための接続部材である。電動交換レンズ１０１とカメラボディ１０２とが機械的および電気的に接続されると、レンズコントローラ１２０とカメラコントローラ１５３とは通信可能な状態になる。
【００２１】
ＤＲＡＭ１２１は、レンズコントローラ１２０による各種制御の際のワークメモリとして使用される。また、フラッシュメモリ１２２は、レンズコントローラ１２０により各種制御の際に使用されるプログラム、パラメータ、及びレンズデータ等を格納している。本実施の形態において、カメラボディ１０２から電動交換レンズ１０１に、ズームリング操作受付可否設定状態（すなわち、ズームリング１１５の操作の有効／無効）を示すズームリング操作受付可否設定情報が送信されると、そのズームリング操作受付可否設定情報はフラッシュメモリ１２２に格納される。
【００２２】
フォーカスレンズ１１０は、電動交換レンズ１０１の光学系に入射されＣＭＯＳイメージセンサ１５０上に形成される被写体像のフォーカス状態を変化させるためのレンズである。フォーカスレンズ１１０のレンズ構成は何枚でも何群でもよい。フォーカスレンズ駆動部１１１は、レンズコントローラ１２０から通知される制御信号に基づいてフォーカスレンズ１１０を光学系の光軸に沿って進退するように駆動する。尚、フォーカスレンズ駆動部１１１は、例えば、ステッピングモータ、ＤＣモータ、又は超音波モータなどにより実現できる。
【００２３】
ズームレンズ１１２は、電動交換レンズ１０１の光学系で形成される被写体像の倍率を変化させるためのレンズである。ズームレンズ１１２のレンズ構成は何枚でも何群でもよい。ズームレンズ駆動部１１３は、レンズコントローラ１２０から通知される制御信号に基づいてズームレンズ１１２を光学系の光軸に沿って進退するように駆動する。尚、ズームレンズ駆動部１１３は、例えば、ステッピングモータ、ＤＣモータ、又は超音波モータなどにより実現できる。
【００２４】
絞り１１６は、複数の機械羽根を開閉可能に構成されている。絞り１１６は、電動交換レンズ１０１の光学系に入射する光の光量を調節することができる調節部材である。絞り駆動部１１７は、レンズコントローラ１２０から通知される制御信号に基づいて、絞り１１６の機械羽根の開閉状態を変化させる。尚、絞り駆動部１１７は、例えば、ステッピングモータ、ＤＣモータ、又は超音波モータなどにより実現できる。
【００２５】
ズームリング１１５は、電動交換レンズ１０１の外面に備わる操作部材である。ズームリング１１５は、電動交換レンズ１０１に対して相対的に回転するように構成されている。ズームリング１１５の回転位置及び回転速度は検出部（図示せず）により検出されて、レンズコントローラ１２０に通知される。レンズコントローラ１２０は、通知されたズームリング１１５の回転位置及び回転速度に基づいて、ズームレンズ駆動部１１３に対して駆動制御信号（ズーム制御信号）を供給する。
【００２６】
ズームレバー１１８は、電動交換レンズ１０１の外面に備わる操作部材である。ズームレバー１１８は３点トグルスイッチ（ＳＷ）で構成される。レンズコントローラ１２０は、ズームレバー１１８が倒されたことを検出すると、ズームレバー１１８が倒された方向に基づいて、ズームレンズ駆動部１１３に対して駆動制御信号（ズーム制御信号）を供給する。この場合、ズーム制御信号は、ズームレンズ駆動部１１３がズームレンズ１１２を駆動可能な範囲における最高速度での駆動を指示する信号であって、ズームリング１１５の操作によるズーム制御信号と比較して、一定の速度での駆動とする。
【００２７】
尚、レンズコントローラ１２０は、ズームレバー１１８の倒された方向と角度を検出し、検出した方向と角度に基づいて、ズームレンズ駆動部１１３に対して速度制限を行っても良い。この場合、ズーム倍率は、ズームレバー１１８が倒された方向と角度で決まる一定速度で変化する。
【００２８】
１−３．カメラボディの各部の構成
カメラボディ１０２の各部の構成について説明する。
【００２９】
カメラコントローラ１５３は、レリーズ釦１６０やカメラ側操作部１７０からの指示に応じて、デジタルカメラ１００全体（例えば、ＣＭＯＳイメージセンサ１５０など）を制御する。カメラコントローラ１５３は、垂直同期信号をタイミングジェネレータ（ＴＧ）１５１に通知する。これと並行して、カメラコントローラ１５３は、垂直同期信号に基づいて露光同期信号を生成する。カメラコントローラ１５３は、生成した露光同期信号を、ボディマウント１４０及びレンズマウント１３０を介して、レンズコントローラ１２０に周期的に繰り返し通知する。カメラコントローラ１５３は、ＤＲＡＭ１５５及びフラッシュメモリ１５６に接続されており、必要に応じて、情報を書き込んだり、読み出したりすることができる。カメラコントローラ１５３は、ハードワイヤードな電子回路で構成してもよいし、プログラムを用いたマイクロコンピュータなどで構成してもよい。
【００３０】
ＤＲＡＭ１５５は、カメラコントローラ１５３による各種制御の際のワークメモリとして使用される。また、フラッシュメモリ１５６は、カメラコントローラ１５３により各種制御の際に使用されるプログラム及びパラメータ等を格納している。本実施の形態において、フラッシュメモリ１５６は、ズームリング操作受付可否設定状態（すなわち、ズームリング１１５の操作の有効／無効）を示すズームリング操作受付可否設定情報を格納している。
【００３１】
ＣＭＯＳイメージセンサ１５０は、電動交換レンズ１０１を介して入射される被写体像を撮像して画像情報を生成する。ＡＦＥ１５２は、ＣＭＯＳイメージセンサ１５０により生成された画像情報をアナログ形式のデータからデジタル形式のデータに変換する。カメラコントローラ１５３は、ＡＦＥ１５２でデジタル化された画像情報に対して各種の画像処理を施す。ここで言う各種の画像処理とは、例えば、ガンマ補正処理、ホワイトバランス補正処理、キズ補正処理、ＹＣ変換処理、電子ズーム処理、及びＪＰＥＧ圧縮処理等であるが、これらに限定されるものではない。また、本発明においては、ＣＭＯＳイメージセンサ１５０に代えて、例えば、ＮＭＯＳイメージセンサやＣＣＤイメージセンサなどの他の撮像素子を用いることもできる。
【００３２】
ＣＭＯＳイメージセンサ１５０は、ＴＧ１５１で制御されるタイミングで動作する。ＴＧ１５１で制御されるＣＭＯＳイメージセンサ１５０の動作は、静止画像の撮像動作、スルー画像の撮像動作、データ転送動作、及び電子シャッタ動作等を含む。スルー画像は主に動画像であり、静止画像の撮像のための構図を決めるために液晶モニタ１６３に表示されるものである。
【００３３】
液晶モニタ１６３は、カメラボディ１０２の背面に配置され、カメラコントローラ１５３で処理された表示用の画像情報が示す画像を表示する。液晶モニタ１６３は、動画像と静止画とを選択的に表示可能である。また、液晶モニタ１６３は、画像の他に、デジタルカメラ１００全体の設定条件等を表示可能である。本実施の形態では、表示手段の一例として液晶モニタ１６３を備えるが、有機ＥＬディスプレイ等の他の表示手段を用いてもよい。
【００３４】
タッチパネル１６２は、液晶モニタ１６３の表面に設けられており、使用者がタッチしたタッチパネル上の電極位置に関する情報を生成する。タッチパネル１６２は、電極位置に関する情報に基づいて、使用者がタッチしたタッチパネル上の位置座標を算出してカメラコントローラ１５３に通知する。
【００３５】
ボディマウント１４０は、電動交換レンズ１０１が備えるレンズマウント１３０と相俟って、電動交換レンズ１０１およびカメラボディ１０２を機械的及び電気的に接続するための接続部材である。電動交換レンズ１０１とカメラボディ１０２とが機械的および電気的に接続されると、レンズコントローラ１２０とカメラコントローラ１５３とは、通信可能な状態となる。ボディマウント１４０は、カメラコントローラ１５３から受信した露光同期信号及びその他の制御信号を、レンズマウント１３０を介して、レンズコントローラ１２０に通知する。また、ボディマウント１４０は、レンズマウント１３０を介して、レンズコントローラ１２０から受信した信号をカメラコントローラ１５３に通知する。
【００３６】
電源１５４は、デジタルカメラ１００で消費するための電力を供給する。電源１５４は、例えば、乾電池であってもよいし、充電池であってもよい。また、電源１５４は、電源コードにより外部から供給される電力をデジタルカメラ１００に供給するものであってもよい。電源１５４がオンされると、カメラコントローラ１５３は、カメラボディ１０２全体に電力を供給する。また、カメラコントローラ１５３は、ボディマウント１４０およびレンズマウント１３０を介して、電動交換レンズ１０１に電力を供給する。レンズコントローラ１２０は、電動交換レンズ１０１全体に電力を供給する。
【００３７】
カードスロット１６５は、メモリカード１６４を着脱可能な接続手段である。カードスロット１６５は、メモリカード１６４を電気的及び機械的に接続可能である。なお、カードスロット１６５は、メモリカード１６４を制御する機能を備えてもよい。
【００３８】
メモリカード１６４は、内部にフラッシュメモリ等の記憶手段を備えた外部メモリである。メモリカード１６４は、カメラコントローラ１５３で処理された画像情報等のデータを記憶可能である。また、メモリカード１６４は、内部に記憶する画像情報等のデータを出力可能である。メモリカード１６４から出力された画像情報は、カメラコントローラ１５３で処理され、例えば、液晶モニタ１６３で再生表示される。
【００３９】
レリーズ釦１６０は、使用者の操作を受け付ける。レリーズ釦１６０は、半押しと全押しの二段階操作を受け付け可能になっている。使用者がレリーズ釦１６０を半押し操作することにより、カメラコントローラ１５３はオートフォーカス動作を実行する。また、使用者がレリーズ釦１６０を全押し操作すると、カメラコントローラ１５３はこの全押し操作のタイミングに応じて生成された画像情報をメモリカード１６４に記憶する。
【００４０】
カメラ側操作部１７０は、上述した中央釦２０４及び十字釦２０５を含む操作部材の総称である。カメラ側操作部１７０は、ＭＦ（マニュアルフォーカス）／ＡＦ（オートフォーカス）を切り替えるスイッチを含む。カメラ側操作部１７０が使用者による操作を受け付けると、カメラコントローラ１５３は、使用者の操作に基づく指示内容に応じた各種制御を実行する。
【００４１】
縦横検知部１６６は、カメラボディ１０２の向きが縦向きか横向き（正立状態）かを検知する。縦横検知部１６６は、検知した向きをカメラコントローラ１５３に送信する。
【００４２】
１−４．ズームリングの有効／無効の設定
電動交換レンズ１０１のズーム設定モードについて説明する。図４（ａ）〜（ｄ）は、カメラボディ１０２の液晶モニタ１６３上での表示例を示した図である。
【００４３】
図４（ａ）は、デジタルカメラ１００が画像を撮影するための撮影モードに設定されているときにおける、液晶モニタ１６３の通常状態の画面表示の一例を示した図である。
【００４４】
使用者は、デジタルカメラ１００の各種設定を行うとき、カメラボディ１０２の中央釦２０４を押下する。カメラコントローラ１５３は中央釦２０４の押下を検出すると、液晶モニタ１６３の表示内容を図４（ａ）に示す表示から図４（ｂ）に示す表示に切り替える。図４（ｂ）は、デジタルカメラ１００の各種設定を変更することが可能なメニュー設定画面が表示された例を示している。このメニュー設定画面上で、使用者は、例えば、フォーカスモードをオートフォーカスモードにするか又はマニュアルフォーカスモードにするかを設定することが可能である。
【００４５】
カメラボディ１０２に電動交換レンズ１０１が装着されている場合、図４（ｂ）に示すメニュー設定画面において、「パワーズーム」と表示された電動ズーム設定項目Ｌ００１が表示される。すなわち、カメラボディ１０２に、本実施の形態の電動交換レンズ１０１のような、使用者による操作に応じてズームレンズ駆動部１１３を制御することによりズーム倍率を変化させる電動交換レンズが装着されている場合、カメラコントローラ１５３はその装着を検出し、電動ズーム設定項目Ｌ００１を表示する。一方、このような電動交換レンズではない、別の交換レンズが装着されている場合、電動ズーム設定項目Ｌ００１は表示されない。
【００４６】
使用者がカメラ側操作部１７０又はタッチパネル１６２を操作することにより電動ズーム設定項目Ｌ００１が選択されると、カメラコントローラ１５３は、液晶モニタ１６３の表示内容を図４（ｂ）の表示から、電動ズームの詳細設定が可能な図４（ｃ）の表示に遷移させる。図４（ｃ）に示される電動ズーム詳細設定画面では、カメラコントローラ１５３は、電動交換レンズ１０１のズームリング１１５の操作を無効にするか有効にするかを設定するための、ズームリング操作設定項目Ｌ００２が表示される。このとき、カメラコントローラ１５３は、フラッシュメモリ１５６に記憶されている、ズームリング操作受付可否設定情報を読み出して、読み出したズームリング操作受付可否設定情報に基づいてズームリング操作設定項目Ｌ００２のオン／オフを表示する。ズームリング操作受付可否設定情報は、使用者によるズームリング１１５の操作を有効とするか無効とするかを示すものであり、「オン」または「オフ」のいずれかの値をとる。図４（ｃ）は、ズームリング操作受付可否設定情報が「オフ」であるときの表示例を示している。
【００４７】
使用者がカメラ側操作部１７０又はタッチパネル１６２を操作することにより、ズームリング操作設定項目Ｌ００２が選択されると、カメラコントローラ１５３はズームリング操作受付可否設定状態を切り替える。すなわち、ズームリング操作受付可否設定状態が「オン」であれば「オフ」に、「オフ」であれば「オン」に変更する。この変更に伴って、カメラコントローラ１５３は、変更後のズームリング操作受付可否設定状態を示すズームリング操作受付可否設定情報をフラッシュメモリ１５６に記憶すると共に、ズームリング操作受付可否設定情報を電動交換レンズ１０１に通知する。このように、使用者は、ズームリング操作受付可否の切替え設定を行うことにより、電動交換レンズ１０１のズームリング１１５の操作を無効にするか有効にするかを選択できる。
【００４８】
図４（ｄ）は、ズーム動作時の表示例を示す図である。ズームリング１１５やズームレバー１１８が操作されることにより、ズームレンズ１１２が駆動されると、図４（ｄ）に示すように、ズーム焦点距離を示すズーム焦点距離情報３００が表示される。図４（ｄ）では、現在設定されている電動ズームの倍率を使用者が認識できるように、焦点距離の目盛り３０１と現在のズーム焦点距離を示す指標３０３を含むズーム焦点距離情報表示３００が表示されている。
【００４９】
２．動作
２−１．動作概要
実施の形態１のデジタルカメラ１００の動作の概要について説明する。電動交換レンズ１０１が装着された状態で、使用者がカメラボディ１０２の電源スイッチ（図示せず）を操作することによりカメラボディ１０２の電源１５４がオン状態に切り換えられると、電力供給とともに、各種初期設定が行われる。
【００５０】
カメラボディ１０２は、フラッシュメモリ１５６に記憶されているズームリング操作受付可否設定情報を読み出して、電動交換レンズ１０１に送信する。カメラボディ１０２に装着された電動交換レンズ１０１は、カメラボディ１０２から取得したズームリング操作受付可否設定情報に応じて、ズームリング１１５に対する操作を有効にするか又は無効にするかを決定する。
【００５１】
デジタルカメラ１００の使用者は、カメラボディ１０２のカメラ側操作部１７０又はタッチパネル１６２に対する操作にて、電動交換レンズ１０１のズームリング１１５の操作の受付可否を設定する事が可能である。カメラボディ１０２の操作にて、ズームリング１１５の操作受付可否の切替え設定が行われると、カメラボディ１０２は電動交換レンズ１０１へズームリング操作受付可否設定情報を送信する。電動交換レンズ１０１は、カメラボディ１０２からの情報に応じて、ズームリング１１５の操作を有効にするか又は無効にするかを切り替える。
【００５２】
以下、電動交換レンズ１０１とカメラボディ１０２の初期動作及びズーム動作について、順に詳細を説明する。
【００５３】
２−２．電動交換レンズをカメラボディに装着したときの初期動作
電動交換レンズ１０１をカメラボディ１０２に装着したときの初期動作について、図５を用いて説明する。図５は、デジタルカメラ１００の電源オン時の撮像準備のための初期動作のシーケンスチャートを示す。カメラボディ１０２に電動交換レンズ１０１が装着された状態で、使用者がカメラボディ１０２の電源１５４をオンにすると（Ｓ３００）、電源１５４は、ボディマウント１４０及びレンズマウント１３０を介して、電動交換レンズ１０１に電力を供給する（Ｓ３０１）。これにより、電動交換レンズ１０１の各部に電力が供給される（Ｓ３０２）。
【００５４】
次に、カメラコントローラ１５３は、レンズコントローラ１２０に対して、電動交換レンズ１０１の認証情報を要求する（Ｓ３０３）。電動交換レンズ１０１の認証情報は、どのような交換レンズがカメラボディ１０２に装着されたか（例えば、電動交換レンズ１０１が装着されているか否か）に関する情報、及び電動交換レンズ１０１にアクセサリが装着されているか否かに関する情報を含む。レンズコントローラ１２０は、カメラコントローラ１５３からのレンズ認証要求に応答する（Ｓ３０４）。これにより、カメラコントローラ１５３は、レンズ認証を完了させて、カメラボディ１０２に電動交換レンズ１０１が装着されているか否か、及びテレコンバータレンズやワイドコンバータレンズ等のアクセサリが電動交換レンズ１０１に装着されているか否かを把握することができる（Ｓ３０５）。
【００５５】
次に、カメラコントローラ１５３は、レンズコントローラ１２０に対して、初期化動作をするように要求する（Ｓ３０６）。これを受けて、レンズコントローラ１２０は、フォーカスレンズ１１０のリセット、ズームレンズ１１２のリセット、及び絞り１１６のリセット等の初期化動作を行う（Ｓ３０７）。レンズコントローラ１２０は、カメラコントローラ１５３に対して、レンズ初期化動作が完了した旨を応答する（Ｓ３０８）。これにより、カメラコントローラ１５３は、電動交換レンズ１０１が初期化されたことを把握することができる（Ｓ３０９）。
【００５６】
次に、カメラコントローラ１５３は、レンズコントローラ１２０に対して、レンズデータを要求する（Ｓ３１０）。レンズデータは、電動交換レンズ１０１のフラッシュメモリ１２２に格納されている。
【００５７】
カメラコントローラ１５３からのレンズデータ要求を受けて、レンズコントローラ１２０は、フラッシュメモリ１２２からレンズデータを読み出す（Ｓ３１１）。レンズコントローラ１２０は、読み出したレンズデータを、カメラコントローラ１５３に応答する（Ｓ３１２）。レンズデータは、レンズ名称、Ｆナンバー、ズーム制御可能範囲、フォーカス制御可能範囲、操作部材に関する情報など、電動交換レンズ１０１に特有の特性値である。また、レンズデータは、電動ズーム機能の有無（交換レンズ１０１において、ズームレンズ１１２が使用者の操作に機械的に連動して駆動されるのではなく、ズームレンズ駆動部１１３によって電動で駆動されるのか否か）に関する情報を含む。カメラコントローラ１５３は、レンズコントローラ１２０から電動ズーム機能の有無に関する情報及び操作部材に関する情報（交換レンズ１０１に設けられた操作部材の種類）を取得することにより、装着された交換レンズの電動ズーム機能の有無及び操作部材に関する情報を把握することができる。本実施の形態の電動交換レンズ１０１は、電動ズーム機能に関する操作部材として、ズームリング１１５およびズームレバー１１８の２つを備えている。したがって、レンズデータは、操作部材に関する情報として、ズームリング１１５とズームレバー１１８を備えていることを示す情報を含む。カメラボディ１０２が電動ズームに対応していれば、カメラコントローラ１５３は、電動交換レンズ１０１の電動ズームに関する各種制御を実行することができる。また、カメラボディ１０２が、電動交換レンズ１０１の操作部材に対応していれば、カメラコントローラ１５３は、装着された電動交換レンズ１０１が備える操作部材の操作可否の制御を行うことができる。以上の動作により、カメラコントローラ１５３は、装着された電動交換レンズ１０１のレンズデータ取得を完了する（Ｓ３１３）。
【００５８】
カメラコントローラ１５３が、取得したレンズデータから、装着された交換レンズが電動ズーム対応で且つズーム倍率を操作することが可能な操作部材が複数（本実施の形態において、ズームリング１１５とズームレバー１１８）あると判断した場合、カメラコントローラ１５３は次のように動作する。すなわち、カメラコントローラ１５３は、フラッシュメモリ１５６に記憶されている、前回デジタルカメラ１００を使用した使用者が設定したズームリング操作受付可否設定情報を読み出す（Ｓ３１４）。ズームリング操作受付可否設定情報は、電動交換レンズ１０１に設けられたズームリング１１５の操作を受け付けるか否かの設定状態を示している。カメラコントローラ１５３は、読み出したズームリング操作受付可否設定情報を電動交換レンズ１０１に通知する（Ｓ３１５）。電動交換レンズ１０１はカメラボディ１０２からのズームリング操作受付可否設定情報の通知を受けて、その通知に従ってズームリング１１５の操作を有効または無効に設定する（Ｓ３１６）。図５の例では、ズームリング１１５の操作を無効に設定した場合を示している。この場合、使用者によりズームリング１１５が操作されても、ズームレンズ１１２は駆動されない。レンズコントローラ１２０は、ズームリング操作受付可否設定情報をフラッシュメモリ１２２に記憶する。
【００５９】
カメラボディ１０２が装着されている電動交換レンズ１０１のレンズデータを把握し、かつ電動交換レンズ１０１がズーム操作部材の操作可否の設定を完了すると、撮像可能な状態になる。この状態で、カメラコントローラ１５３は、レンズコントローラ１２０に対して、電動交換レンズ１０１の状態を示すレンズ状態データを定期的に要求する（Ｓ３１７）。レンズ状態データは、例えば、ズームレンズ１１２によるズーム焦点距離情報、フォーカスレンズ１１０の位置情報、絞り１１６の絞り値情報、ズームリング１１５が操作されたことを示すズームリング操作情報、およびズームレバー１１８が操作されたことを示すズームレバー操作情報などを含む。ズームリング操作情報は、ズームリング１１５の回転位置が変化したか否かの情報と、現在の回転位置及び回転速度等を含む。この要求に応えて、レンズコントローラ１２０は、カメラコントローラ１５３に対して、要求されたレンズ状態データを応答する（Ｓ３１８）。
【００６０】
以上のように、カメラボディ１０２と電動交換レンズ１０１とが必要なデータの要求および応答を実行することにより、カメラボディ１０２と電動交換レンズ１０１は初期動作を終える。
【００６１】
２−３．ズームリングの操作が有効に設定されている時のズーム制御
電動交換レンズ１０１のズームリング１１５が操作されたときのズーム制御について説明する。まず、ズームリング１１５の操作が有効に設定されている時のズーム制御について説明する。図６は、ズームリング１１５の操作が有効に設定され、その後にズームリング１１５が操作された時のズーム制御のシーケンスチャートを示す。
【００６２】
デジタルカメラ１００の使用者は、電動交換レンズ１０１のズームリング１１５でズーム操作を行いたいとき、カメラボディ１０２のメニュー設定画面（図４（ｂ）の電動ズーム設定項目Ｌ００１及び図４（ｃ）のズームリング操作設定項目Ｌ００２）で、ズームリング１１５の操作を有効に設定する。このメニュー設定画面上での使用者の操作に応じて、カメラコントローラ１５３は、ズームリング操作受付可否設定情報を「オン」に設定し（Ｓ４０１）、フラッシュメモリ１５６に記憶する。なお、すでにズームリング１１５の操作が有効に、すなわちズームリング操作受付可否設定情報が「オン」に設定済みであればこの設定は不要である。次に、カメラコントローラ１５３は、「オン」を示すズームリング操作受付可否設定情報を電動交換レンズ１０１に通知する（Ｓ４０２）。レンズコントローラ１２０は、カメラボディ１０２からの「オン」を示すズームリング操作受付可否設定情報を受けて、ズームリング１１５への操作を有効に設定する（Ｓ４０３）。レンズコントローラ１２０は、受信したズームリング操作受付可否設定情報をフラッシュメモリ１２２に記憶する。
【００６３】
デジタルカメラ１００の使用者が、電動交換レンズ１０１のズームリング１１５を操作すると、レンズコントローラ１２０はこの操作を検出する（Ｓ４１１）。レンズコントローラ１２０は、カメラコントローラ１５３から定期的に送られるレンズ状態データ要求（Ｓ４１２）に対して、ズームリング１１５が操作されたことを示すズームリング操作情報を含むレンズ状態データを返信する（Ｓ４１３）。
【００６４】
カメラコントローラ１５３は、受信したズームリング操作情報により、ズームリング１１５が操作されたことを認識すると、ズームリング操作受付可否設定状態を判定する。具体的には、カメラコントローラ１５３は、フラッシュメモリ１５６に記憶されているズームリング操作受付可否設定情報を参照する。ここでは、ズームリング操作受付可否設定情報が「オン」であるため、液晶モニタ１６３にズームリング操作情報に含まれるズーム焦点距離情報の表示を行う（Ｓ４１４）。ズーム焦点距離情報３００の表示は、図４（ｄ）のようにズームレンズ１１２の位置によって決まる焦点距離がわかるように表示するものである。ズーム焦点距離情報の表示の代わりに、ズームレンズ１１２の位置のみを表示するようにしても良いし、焦点距離によって決まるズーム倍率を表示するようにしてもよい。
【００６５】
一方、レンズコントローラ１２０はズームリング１１５が操作されると、ズームリング操作受付可否設定状態を判定する。具体的には、レンズコントローラ１２０は、フラッシュメモリ１２２に記憶されているズームリング操作受付可否設定情報を参照する。ここでは、ズームリング操作受付可否設定情報が「オン」であるため、ズームリング１１５の回転位置に基づいてズームレンズ駆動部１１３に駆動制御信号を送り、ズームレンズ１１２の駆動を開始する（Ｓ４１５）。カメラコントローラ１５３は、使用者がズームリング１１５を操作中においても、定期的にレンズ状態データの要求を行う（Ｓ４１６）。レンズコントローラ１２０は、ズーム焦点距離情報を含むレンズ状態データを応答する（Ｓ４１７）。このとき、ズームレンズ１１２が駆動されているため、レンズ状態データに含まれるズーム焦点距離情報は更新されていく。カメラコントローラ１５３は、レンズ状態データの応答を受け、更新されたズーム焦点距離情報に基づいて、液晶モニタ１６３のズーム焦点距離情報表示の更新を行う（Ｓ４１８）。このように、レンズ状態データ要求、レンズ状態データ応答、及びズーム焦点距離情報表示の更新は、ズームレンズ１１２が駆動されている間繰り返され、デジタルカメラ１００の使用者は、液晶モニタ１６３で、ズームレンズ１１２の駆動状態や焦点距離を把握する事が可能となる。
【００６６】
デジタルカメラ１００の使用者は、電動交換レンズ１０１のズーム倍率が所望の倍率に達すると、ズームリング１１５の操作を終了する。レンズコントローラ１２０は、ズームリング１１５の操作が終了したことを検出すると（Ｓ４２１）、即座にズームレンズ駆動部１１３に停止命令を発し、ズームレンズ１１２の駆動を終了する（Ｓ４２２）。
【００６７】
レンズコントローラ１２０は、カメラコントローラ１５３が定期的に行っているレンズ状態データ要求（Ｓ４２３）に対して、最終的にズームレンズ１１２が止まった位置に対応するズーム焦点距離情報及びズームリング１１５の操作が終了されたことを示すズームリング操作情報を含めた、レンズ状態データを応答する（Ｓ４２４）。
【００６８】
２−４．ズームリング操作が無効に設定されている時のズーム制御
ズームリング１１５の操作が無効に設定されている時のズーム制御について説明する。図７はズームリング１１５の操作が無効に設定され、その後にズームリング１１５が操作された時のズーム制御のシーケンスチャートを示す。
【００６９】
デジタルカメラ１００の使用者は、電動交換レンズ１０１のズームリング１１５でのズーム操作を禁止にしたいとき、カメラボディ１０２のメニュー設定画面（図４（ｂ）の電動ズーム設定項目Ｌ００１及び図４（ｃ）のズームリング操作設定項目Ｌ００２）で、ズームリング１１５の操作を無効に設定する。このメニュー設定画面上での操作に応じて、カメラコントローラ１５３は、ズームリング操作受付可否設定情報を「オフ」に設定し（Ｓ５０１）、フラッシュメモリ１５６に記憶する。なお、すでにズームリング１１５の操作が無効、すなわちズームリング操作受付可否設定情報が「オフ」に設定済みであれば、この設定は不要である。次に、カメラコントローラ１５３は、「オフ」を示すズームリング操作受付可否設定情報を電動交換レンズ１０１に通知する（Ｓ５０２）。レンズコントローラ１２０は、カメラボディ１０２からの「オフ」を示すズームリング操作受付可否設定情報を受けて、ズームリング１１５への操作を無効に設定する（Ｓ５０３）。レンズコントローラ１２０は、ズームリング操作受付可否設定情報をフラッシュメモリ１２２に記憶する。
【００７０】
レンズコントローラ１２０は、デジタルカメラ１００の使用者が電動交換レンズ１０１のズームリング１１５を操作すると（Ｓ５１１）、定期的に行っているレンズ状態データ要求（Ｓ５１２）に対して、ズームリング１１５が操作されたことを示すズームリング操作情報を含んだレンズ状態データを返信する（Ｓ５１３）。このとき、レンズコントローラ１２０は、ズームリング操作受付可否設定状態を判定する。具体的には、レンズコントローラ１２０は、フラッシュメモリ１２２に記憶されているズームリング操作受付可否設定情報を参照する。ここでは、ズームリング操作受付可否設定情報が「オフ」であるため、レンズコントローラ１２０は、ズームレンズ駆動部１１３に対して、ズームリング１１５の操作に応じた駆動制御信号を送らない。つまり、使用者によりズームリング１１５の操作があったにもかかわらず、ズームレンズ１１２は駆動されない。
【００７１】
一方、カメラコントローラ１５３はズームリング操作情報により、ズームリング１１５が操作されたことを認識すると、ズームリング操作受付可否設定状態を判定する。具体的には、カメラコントローラ１５３は、フラッシュメモリ１５６に記憶されているズームリング操作受付可否設定情報を参照する。ここでは、ズームリング操作受付可否設定情報が「オフ」であるため、カメラコントローラ１５３は、液晶モニタ１６３で、ズームリング１１５への操作が無効に設定されている旨を示す警告表示を行う（Ｓ５１４）。液晶モニタ１６３で警告表示が所定時間表示されると（Ｓ５１５）、カメラコントローラ１５３は、液晶モニタ１６３に表示されている警告表示を解除し、元の表示に戻す（Ｓ５１６）。
【００７２】
なお、本実施の形態では、使用者によるズームレバー１１８に対する操作は、ズームリング１１５の操作が有効に設定されているか無効に設定されているかにかかわらず、常に受け付け可能にし、ズームレバー１１８の操作に応じてズームレンズ１１２を駆動する。したがって、ズームリング１１５への操作が有効となっている場合は、レンズコントローラ１２０は、ズームリング１１５およびズームレバー１１８のいずれが操作されてもそれぞれの操作に応じてズームレンズ１１２を駆動する。ただし、両方が同時に操作された場合は、いずれか（例えば、ズームリング１１５）への操作のみを有効にし、他方（例えば、ズームレバー１１８）への操作を無効として制御するようにしてもよい。ズームレバー１１８が操作された際のズーム制御のシーケンスについては、図６を用いて説明したズームリング１１５の操作に対するズーム制御と同様であるため、詳細な説明は割愛する。
【００７３】
３．まとめ
本発明の実施の形態１のデジタルカメラ１００は、電動交換レンズ１０１がズームレンズ１１２を駆動するための複数の操作部材（具体的には、ズームリング１１５とズームレバー１１８）を備え、カメラボディ１０２がその複数の操作部材のうちの少なくとも１つの操作部材（具体的には、ズームリング１１５）の有効／無効の設定情報を使用者の操作に基づいて設定し、電動交換レンズ１０１はその設定情報に基づいてズームレンズ駆動部１１３を制御している。これにより、例えば、使用者は、ズームレバー１１８を操作してズーム倍率を調整したいときに、ズームリング１１５の操作を無効に設定することにより、ズームレバー１１８を操作しているときに誤ってズームリング１１５を触って回転させてしまった場合に、意図せずズーム倍率が変更してしまうことを防止することができる。
【００７４】
＜他の実施の形態＞
本発明は、実施の形態１に限定されず、種々の実施の形態が考えられる。以下、本発明の他の実施の形態について記載する。
【００７５】
（１）実施の形態１において、ズームリング１１５の操作が無効に設定されているときにズームリング１１５が操作された場合、ズームリング１１５の操作の程度に関わらず、液晶モニタ１６３にズームリング１１５への操作が無効である旨の警告を表示した。しかしながら、ズームリング１１５の操作の程度に応じて、警告の表示／非表示を切り換えても良い。例えば、ズームリング１１５の操作が無効に設定されているときにズームリング１１５が操作された場合、カメラボディ１０２はズームリング１１５の操作の程度が所定の閾値を超えたときに、液晶モニタ１６３にズームリング１１５への操作が無効である旨の警告を表示してもよい。「ズームリング１１５の操作の程度が所定の閾値を超える」とは、例えば、ズームリング１１５が連続して操作される時間が所定時間を超えるか、又はズームリング１１５に対する一度の操作量（回転量）が所定量を超えるかを意味する。使用者が誤って、ズームリング１１５に触れてしまったときは、操作時間が閾値未満のごく短い時間であったり、操作量が閾値未満のごくわずかな量であったりする。そのような場合には、無効である旨の警告表示は行わない。このため、警告表示によって撮影が中断されることがない。一方、使用者がズームリング１１５でのズーム操作が可能であると勘違いして操作してしまったような場合は、操作時間や回転量が閾値を超えるため、ズームリング１１５への操作が無効である旨の警告表示を行う。これにより、使用者は勘違いに気づくことができる。
【００７６】
（２）実施の形態１において、ズームリング１１５の操作が無効に設定されている場合、ズームリング１１５が操作されても、ズームレンズ１１２の駆動は行わないものとした。しかしながら、ズームリング１１５の操作が無効に設定されている場合であっても、ズームリング１１５に対する操作の程度が比較的大きいときは、ズームレンズ１１２の駆動を行っても良い。例えば、ズームリング１１５の操作が無効に設定されているときにズームリング１１５が操作された場合、レンズコントローラ１２０はその操作状況を監視し、ズームリング１１５の操作時間や操作量を判断する。ズームリング１１５の操作時間や操作量が所定の閾値を超えている場合は、ズームリング１１５への操作が無効に設定されていても、ズームリング１１５への操作に応じてズームレンズ駆動部１１３を制御してズームレンズ１１２を駆動し、ズーム倍率を変更する。このとき、操作時間や操作量が閾値を超えるまではズームレンズ１１２の駆動を行わないが、一旦閾値を超えたと判断すると、レンズコントローラ１２０は、ズームリング１１５への操作が開始されたときに遡ってその回転量を判断し、それに見合ったズームレンズ１１２の駆動を行うようにする。このようにすることで、使用者がズームリング１１５を大きく操作した場合にはそれに応じてズーム倍率を変更させることができる。すなわち、ズームリング１１５の操作が無効に設定されているときであっても、使用者が意図してズームリング１１５を操作したときには、ズーム倍率を変更することが可能となる。一方、使用者がズームリング１１５に意図せず触れてしまったような場合は、操作時間や操作量は少ないため、操作時間や操作量は所定の閾値を超えない。よって、ズームレンズ１１２を駆動せず、ズーム倍率を変更しない。これにより、使用者がズームリング１１５に意図せず触れてしまったときは、ズーム倍率が変更されることを防止することができる。
【００７７】
（３）実施の形態１においては、電動交換レンズ１０１のみがズームレンズ１１２を駆動する操作部材を備える場合について説明した。具体的には、電動交換レンズ１０１が、ズーム操作のための操作部材を２つ（ズームリング１１５とズームレバー１１８）備える場合において、ズームリング１１５の操作を無効にすることが可能な構成について説明した。しかし、電動交換レンズ１０１側だけでなく、カメラボディ１０２もズームレンズ１１２を駆動可能な操作部材を備えても良い。このような場合に、上記実施の形態の思想を適用しても良い。すなわち、カメラボディ１０２がズーム操作が可能な操作部材を備える場合において、電動交換レンズ１０１側の操作部材を無効に設定可能にしても良い。
【００７８】
例えば、電動交換レンズ１０１は、ズーム操作のための一つまたは複数の操作部材（ズームリング１１５及び／又はズームレバー１１８）を備える。一方、カメラボディ１０２は、電動ズームが可能な電動交換レンズが装着されたことを検出すると、カメラボディ１０２が備えるカメラ側操作部１７０やタッチパネル１６２に、ズーム操作の操作部材としての機能を割り当てる。これは、例えば、次のような構成により実現可能である。十字釦２０５の左右釦をズーム操作用に割り当て、これら左右釦の押下に応じて、カメラコントローラ１５３がレンズコントローラ１２０に対してズーム倍率変更のための情報を通知する。レンズコントローラ１２０は、この情報に基づいてズームレンズ駆動部１１３を制御する。これにより、カメラボディ１０２に対する操作に応じて電動交換レンズ１０１のズーム倍率を変更することができる。
【００７９】
このような構成において、さらにカメラボディ１０２は、装着された電動交換レンズ１０１に備えられた操作部材に対する操作を有効にするか無効にするかを設定可能にする。これにより、デジタルカメラ１００全体として、ズーム操作のための操作部材が複数個存在する場合に、電動交換レンズ１０１側の操作部材を有効にしたり無効にしたりすることが可能となる。例えば、電動交換レンズ１０１が備える操作部材のすべてを無効とし、カメラボディ１０２側での操作のみによって電動交換レンズ１０１のズーム操作を可能にすることもできる。電動交換レンズ１０１の操作部材を無効にすることにより、例えば単に電動交換レンズ１０１を手で保持して撮影しているときに誤って操作部材を触ってしまい、意図せずズーム倍率が変わってしまうことを防止できる。
【００８０】
（４）実施の形態１においては、使用者の設定に応じて、ズームリング１１５の操作を無効とする構成について説明した。しかしながら、デジタルカメラ１００の動作状態に応じて、ズームリング１１５の操作の有効／無効を動的に切り替えるようにしてもよい。具体的には、例えば、動画撮影をしているときにはズームリング１１５の操作を無効に設定し、それ以外の状態においてはズームリング１１５の操作を有効に設定するようにしてもよい。ここでの動画撮影とは、ＣＭＯＳイメージセンサ１５０が撮像した一連の画像情報を動画として記録する動作を指す。動画撮影は、例えば撮影モードにおいて、カメラボディ１０２又は電動交換レンズ１０１に備えられた動画釦（図示せず）を押下した際に開始され、動画撮影中に再度動画釦が押下された際に終了する。動画撮影中は、ＣＭＯＳイメージセンサ１５０が所定のフレームレート（例えば、３０フレーム／秒）で撮像を行い、撮像動作毎に画像情報を出力する。カメラコントローラ１５３は、これらの画像情報を動画として、ＭＰＥＧ形式等で圧縮符号化処理してメモリカード１６４に記録する。デジタルカメラ１００は、この動画撮影中においてはズームリング１１５の操作を無効にする。
【００８１】
具体的には、使用者による動画釦の押下を検出して動画撮影を開始する時において、カメラコントローラ１５３は、「オフ」を示すズームリング操作受付可否設定情報を、フラッシュメモリ１５６に記憶すると共に、電動交換レンズ１０１に通知する。レンズコントローラ１２０は、そのズームリング操作受付可否設定情報をカメラボディ１０２から受けて、ズームリング１１５での操作を無効に設定する。レンズコントローラ１２０は、ズームリング操作受付可否設定情報をフラッシュメモリ１２２に記憶する。また、使用者による動画釦の押下を検出して動画撮影を終了するときにおいて、カメラコントローラ１５３は、「オン」を示すズームリング操作受付可否設定情報を、フラッシュメモリ１５６に記憶すると共に、電動交換レンズ１０１に通知する。レンズコントローラ１２０はカメラボディ１０２からの「オン」を示すズームリング操作受付可否設定情報を受けて、ズームリング１１５への操作を有効に設定する。レンズコントローラ１２０は、ズームリング操作受付可否設定情報をフラッシュメモリ１２２に記憶する。動画撮影中は、図７を参照して説明したズームリング１１５が無効のときの動作と同様の動作を行うことにより、ズームリング１１５への操作を無効とする。
【００８２】
なお、デジタルカメラ１００が動画撮影をしている間はズームリング１１５の操作を無効とし、それ以外の状態においては使用者による設定通りにズームリング１１５の有効／無効を設定するようにしてもよい。これは次のようにして実現可能である。動画撮影開始時に、カメラコントローラ１５３はズームリング操作受付可否設定情報をフラッシュメモリ１５６から読み出して別の領域（例えば、フラッシュメモリ１５６内において、ズームリング操作受付可否設定情報を格納する領域とは別の領域）に保存する。その後、カメラコントローラ１５３は、電動交換レンズ１０１に「オフ」を示すズームリング操作受付可否設定情報を通知する。また、動画撮影終了時に、カメラコントローラ１５３は、ズームリング操作受付可否設定情報をさきほど保存した別の領域から読み出して、その内容をズームリング操作受付可否設定情報として電動交換レンズ１０１に通知する。
【００８３】
（５）実施の形態１においては、操作部材（ズームリング１１５）の有効／無効を、使用者の設定に基づいて決定した。しかし、デジタルカメラ１００の向きに応じて、カメラボディ１０２が操作部材の有効／無効を設定しても良い。例えば、カメラボディ１０２の縦横検知部１６６が、カメラボディ１０２の向きが縦向きか横向きかを検知し、検知した向きをカメラコントローラ１５３に送信する。カメラコントローラ１５３は、検知されたカメラボディ１０２の向きが横向き（正立状態）であれば、交換レンズ１０１の操作部材を有効に設定する。一方、検知されたカメラボディ１０２の向きが縦向きであれば、カメラコントローラ１５３は、交換レンズ１０１の操作部材（ズームリング１１５及び／又はズームレバー１１８）を無効に設定する。交換レンズ１０１の操作部材を無効に設定したときは、カメラボディ１０２の操作部材（例えば、カメラ側操作部１７０及びタッチパネル１６２）による、ズームレンズ駆動部１１３を駆動可能にする。これは、カメラボディ１０２が縦向きの場合、使用者にとって交換レンズ１０１に設けられた操作部材が操作しにくい場合があり、カメラボディ１０２の操作部材を用いる方が使用者にとって操作性が向上すると考えられる場合もあるからである。
【００８４】
（６）実施の形態１においては、ズームリング１１５に対する操作を有効とするか無効とするかを設定可能にする構成について説明した。しかし、ズームリング１１５の代わりに、ズームレバー１１８について有効とするか無効とするかを設定可能にしてもよい。また、ズームリング１１５およびズームレバー１１８の各々について、有効か無効かを設定可能にしてもよい。
【００８５】
（７）実施の形態１においては、ズームレンズ１１２を駆動する場合について説明したが、他の部材を駆動する場合にも、上述した実施の形態１及び他の実施の形態を適用できる。例えば、フォーカスレンズ１１０を駆動する場合でも適応できる。具体的には、フォーカスレンズ１１０を駆動するための複数の操作部材（例えば、フォーカスリングとフォーカスレバー）が電動交換レンズ１０１に備えられている場合、その操作部材のうちの少なくともいずれか一方（例えば、フォーカスリング）の操作の有効／無効を設定可能にしても良い。フォーカスリングは、電動交換レンズ１０１の外面に備わる操作部材である。フォーカスリングは、電動交換レンズ１０１に対して相対的に回転するように構成される。フォーカスリングの回転位置及び回転速度は検出部（図示せず）により検出されて、レンズコントローラ１２０に通知される。レンズコントローラ１２０は、通知されたフォーカスリングの回転位置及び回転速度に基づいて、フォーカスレンズ駆動部１１１に対して駆動制御信号を供給する。フォーカスレバーは、電動交換レンズ１０１の外面に備わる操作部材である。フォーカスレバーは、例えば、ズームレバー１１８と同様に、３点トグルスイッチ（ＳＷ）で構成される。レンズコントローラ１２０は、レバーが倒されたことを検出すると、レバーが倒された方向に基づいて、フォーカスレンズ駆動部１１１に対して駆動制御信号を供給する。
【００８６】
上記実施の形態１及び他の実施の形態それぞれに開示した思想は、当業者が適宜組み合わせることができる。
【００８７】
上記実施の形態では撮像装置の一例としてデジタルカメラ１００を例示したが、本発明の思想はデジタルカメラへの適用に限定されない。本発明の思想は、ムービーカメラ、カメラ付き携帯電話などの撮像装置であって、ズーム機能を備えた交換レンズを装着可能な交換レンズ式の撮像装置に適用可能である。
【産業上の利用可能性】
【００８８】
本発明は、デジタルカメラ、ムービーカメラ、カメラ付き携帯電話などの撮像装置であって、ズーム機能を備えた交換レンズを装着可能な交換レンズ式の撮像装置に適用可能である。
【符号の説明】
【００８９】
１００  デジタルカメラ
１０１  電動交換レンズ
１０２  カメラボディ
１１０  フォーカスレンズ
１１１  フォーカスレンズ駆動部
１１２  ズームレンズ
１１３  ズームレンズ駆動部
１１５  ズームリング
１１６  絞り
１１７  絞り駆動部
１１８  ズームレバー
１２０  レンズコントローラ
１２１  ＤＲＡＭ（レンズ側）
１２２  フラッシュメモリ（レンズ側）
１３０  レンズマウント
１４０  ボディマウント
１５０  ＣＭＯＳイメージセンサ
１５１  ＴＧ
１５２  ＡＦＥ
１５３  カメラコントローラ
１５４  電源
１５５  ＤＲＡＭ（ボディ側）
１５６  フラッシュメモリ（ボディ側）
１６０  レリーズ釦
１６２  タッチパネル
１６３  液晶モニタ
１６４  メモリカード
１６５  カードスロット
１７０  カメラ側操作部
２０４  中央釦
２０５  十字釦
【図１】
0006013772.tif 000002
【図２】
0006013772.tif 000003
【図３】
0006013772.tif 000004
【図４】
0006013772.tif 000005
【図５】
0006013772.tif 000006
【図６】
0006013772.tif 000007
【図７】
0006013772.tif 000008